(57)【要約】      （修正有）【課題】  キャップ本体及び上蓋が螺子係合により固定されているプラスチックキャップにおいて、上蓋の巻締め過ぎを防止し、開蓋トルクの上昇を防止すると共に、開蓋時のキャップ本体の共回りを防止し、開封性に優れたプラスチックキャップを提供することである。【解決手段】キャップ本体１に形成された雄螺子６の始端１０には切り立った面が形成されていると共に、上蓋２の雌螺子には、キャップ本体頂板部３と上蓋側壁下端が当接した時点では、雄螺子始端１０の切り立った面と係止しないがその近傍位置にストッパー２４が形成されていることを特徴とするプラスチックキャップ。【選択図】  図１
2006264748.tif 000002
【特許請求の範囲】
【請求項１】
頂板部及びスカート部から成り、スカート部内面には容器口部に固定するための係合部が形成されていると共に、頂板部外面に外周面に雄螺子を有する上蓋係合用筒が形成され、該上蓋係合用筒で区画される頂板部には、弱化部で区画される開口予定部が形成されて成るキャップ本体、及び天面及び側壁から成り、側壁内面にキャップ本体の雄螺子と係合する雌螺子が形成されて成る上蓋から成り、キャップ本体及び上蓋を組み合わせた状態で容器口部に適用されるプラスチックキャップにおいて、
前記キャップ本体に形成された雄螺子の始端には切り立った面が形成されていると共に、前記上蓋の雌螺子には、キャップ本体頂板部と上蓋側壁下端が当接した時点では、該雄螺子始端の切り立った面と係止しないがその近傍位置にストッパーが形成されていることを特徴とするプラスチックキャップ。
【請求項２】
前記ストッパーが雌螺子の螺子溝を埋めたものである請求項１記載のプラスチックキャップ。
【請求項３】
前記雌螺子がストッパーよりも側壁の上方まで形成されている請求項１又は２記載のプラスチックキャップ。
【請求項４】
前記上蓋がキャップ本体よりも硬い樹脂から成る請求項１乃至３の何れかに記載のプラスチックキャップ。
【発明の詳細な説明】
【技術分野】
【０００１】
本発明は、容器口部に固定されるキャップ本体、及びキャップ本体に螺子係合により固定される上蓋から成るプラスチックキャップに関し、より詳細には、上蓋の締め過ぎが防止され開蓋トルクの上昇が有効に防止されていると共に、キャップ本体及び上蓋の共回りが有効に防止された開蓋性に優れたプラスチックキャップに関する。
【背景技術】
【０００２】
従来より、容器口部に嵌合固定されるキャップ本体、及びこのキャップ本体に形成される注出用開口を覆う上蓋から成るプラスチックキャップは、液状物等を内容品とする容器に適用されており、このタイプのキャップにおいては、上蓋のキャップ本体への固定は、係合突起により固定されるものや、螺子係合により固定されるものがある（特許文献１）。
【０００３】
上蓋が螺子係合によりキャップ本体に固定されるプラスチックキャップにおいては、一般に上蓋をキャップ本体にセッティングした状態で打栓して容器口部に固定され、使用開始に際して、キャップ本体に形成された注出用開口を形成し、その後は、上蓋の旋回のみで開閉を行い、上蓋で注出用開口を覆って密封性を確保している。
【０００４】
【特許文献１】特開平８−５８８１６号公報
【発明の開示】
【発明が解決しようとする課題】
【０００５】
しかしながら、このような上蓋がキャップ本体に螺子係合により固定されるプラスチックキャップにおいては、容器口部に固定する前のキャップ本体と上蓋のセッティング状態と容器口部に嵌合固定され内容液を注出した後では、キャップ本体と上蓋の係合面の状態が顕著に相違する。すなわち、例えば内容液によりキャップ本体と上蓋の螺子係合部分が濡れたり、或いは内容液が付着したまま乾いてしまうこと等があり、螺子係合部分が濡れているとキャップ本体と上蓋とが滑り、キャップ本体と上蓋のセッティング状態よりも閉方向に上蓋が回りすぎた状態まで巻締められることになり、この状態で内容物が乾いてしまうと、次いで開蓋する際の開蓋トルクが非常に高くなってしまうという問題があった。
また上蓋が回りすぎた状態で巻締められてしまうと、上蓋を取り外す際にキャップ本体が上蓋と一緒に回ってしまい、上蓋を取り外すことができないという問題も生じる。
【０００６】
従って本発明の目的は、キャップ本体及び上蓋が螺子係合により固定されているプラスチックキャップにおいて、上蓋の巻締め過ぎを防止し、開蓋トルクの上昇を防止すると共に、開蓋時のキャップ本体の共回りを防止し、開封性に優れたプラスチックキャップを提供することである。
本発明の他の目的は、上蓋の強度を損なうことなく、材料の歩留まりを高くすることが可能な生産性に優れたプラスチックキャップを提供することである。
【課題を解決するための手段】
【０００７】
本発明によれば、頂板部及びスカート部から成り、スカート部内面には容器口部に固定するための係合部が形成されていると共に、頂板部外面に外周面に雄螺子を有する上蓋係合用筒が形成され、該上蓋係合用筒で区画される頂板部には、薄肉部で区画される開口予定部が形成されて成るキャップ本体、及び天面及び側壁から成り、側壁内面にキャップ本体の雄螺子と係合する雌螺子が形成されて成る上蓋から成り、キャップ本体及び上蓋を組み合わせた状態で容器口部に適用されるプラスチックキャップにおいて、前記キャップ本体に形成された雄螺子の始端には切り立った面が形成されていると共に、前記上蓋の雌螺子には、キャップ本体頂板部と上蓋側壁下端が当接した時点では、該雄螺子始端の切り立った面と係止しないがその近傍位置にストッパーが形成されていることを特徴とするプラスチックキャップが提供される。
【０００８】
本発明のプラスチックキャップにおいて、
１．ストッパーが上下の雌螺子間を埋めたものであること、
２．雌螺子がストッパーよりも側壁の上方まで形成されていること、
３．上蓋がキャップ本体よりも硬い樹脂から成ること、
が好適である。
【発明の効果】
【０００９】
本発明のプラスチックキャップは、一旦開封した後、再閉蓋する際に上蓋を締めすぎてしまうことがなく、上蓋の締めすぎに伴う、キャップ本体の共回りが防止され、開蓋性に優れたプラスチックキャップを提供できる。
本発明のプラスチックキャップによれば、材料歩留まりを向上することができ、生産性に優れたプラスチックキャップを提供できる。
【発明を実施するための最良の形態】
【００１０】
本発明のプラスチックキャップは、容器口部に固定されるキャップ本体、及びこのキャップ本体に螺子係合により適用される上蓋から成るものであり、このキャップ本体及び上蓋間の螺子係合において、上蓋の閉方向において、キャップ本体に形成された雄螺子の始端と上蓋の雌螺子に形成されたストッパーとが係止して、締めすぎを防止するための係止部分を形成している点が第一の特徴である。
すなわち、前述したように、一旦開封されたキャップにおいては、キャップ本体と上蓋のねじ係合部分に内容物が付着すること等により、キャップ本体と上蓋がセッティングされた状態よりも、上蓋が回りすぎた状態で巻締められる場合があり、このような場合には、再度上蓋を開けるときに開蓋トルクが非常に高くなってしまい、キャップ本体が上蓋と共に回ってしまう、共回りが生じて開蓋性に劣るという問題があるが、本発明のキャップにおいては、キャップ本体と上蓋との螺子係合に上述した係止部分が形成されているため、このような締めすぎによる開蓋トルクの上昇が防止されており、キャップ本体が上蓋と共回りしてしまうことがなく、開蓋性に優れている。
【００１１】
また本発明のプラスチックキャップでは、キャップ本体の雄螺子始端が雄螺子を半径方向で切断したような上蓋係合用筒面に対してほぼ垂直の切り立った係止面として形成されていることから、この係止面が上蓋に形成されたストッパーと確実に係合し、閉方向に強く旋回しても上蓋に形成されたストッパーを乗り越えてしまうようなことがないのである。
更に本発明のプラスチックキャップでは、上記キャップ本体の雄螺子の始端と上蓋のストッパーの係止位置が、キャップ本体と上蓋のセッティング状態であるキャップ本体頂板部と上蓋側壁下端が当接した時点では係止しないが、キャップ本体頂板部と上蓋側壁下端が当接した状態の位置よりもわずかに閉方向に旋回した位置であることにより、上蓋の締めすぎによる開蓋トルクの上昇が有効に防止されている。
すなわち、キャップ本体及び上蓋のセッティングにおいてはキャップ本体頂板部と上蓋側壁下端の間に隙間が形成されないことが重要であることから、キャップ本体及び上蓋のセッティングはキャップ本体頂板部及び上蓋側壁下端で規定される必要があり、このためセッティング位置では係止面とストッパーが係合することがないように、係止面とストッパーとの間にわずかな間隙が設けられていることが必要になる。
【００１２】
本発明のプラスチックキャップを添付図面に基づいて説明する。
図１は、本発明のプラスチックキャップの上蓋の一例を示すものであり、左半分が側面図、右半分が側断面図を夫々示し、図２は、本発明のプラスチックキャップのキャップ本体の一例の側面図を示すものであり、図３は、図２に示すキャップ本体のＸ方向からの側面図である。また図４は、係止面とストッパーとの係合状態を示すための部分拡大断面図である。
【００１３】
図１乃至図３から明らかなように、本発明のプラスチックキャップは、概略的に言って、容器口部(図示せず)に固定されるキャップ本体１及びこのキャップ本体１を螺子係合により覆う上蓋２から成っている。
図２乃至図３に示すキャップ本体１は、頂板部３及びスカート部４から成り、頂板部３には、上蓋係合用筒５が形成され、この上蓋係合用筒５の側面には雄螺子６が形成されている。また上蓋係合用筒５の上部は、注出用ノズル７が連続的に形成され、図示されていないが、上蓋係合用筒５及び注出用ノズル７で区画される頂板部３には、弱化部で区画される開口予定部が形成され、やはり図示していないが該弱化部を破断するための把持部が開口予定部に設けられている。
【００１４】
図３から明らかなように、上蓋係合用筒５の側面に形成された雄螺子６はその終端９は螺子山が徐々に高さ及び幅が小さくなっているのに対し、始端１０は上蓋係合用筒５の側面に対してほぼ垂直に切断されたような係止面１１が形成されている。
図４から明らかなように、このキャップ本体の係止面１１は、上蓋係合用筒５の側面に対してほぼ垂直に切断されたような切り立った面として形成されているので、後述する上蓋のストッパーを乗り越えてしまうこともなく、ストッパーと確実に係合して上蓋の締め過ぎを有効に防止できる。
尚、図示されていないが、キャップ本体１には、スカート部４の内面に容器口部の係合突起と係合する係合突起、及び頂板部３の内面から垂下するインナーリングが形成されており、これらによって、容器口部に液密性を保持するように嵌合固定される。
【００１５】
一方上蓋２は、概略的に言って天面２１及び側壁２２から成り、側壁２２の内面にはキャップ本体の雄螺子６と係合する雌螺子２３が形成されている。上蓋２の雌螺子２３には、前述したキャップ本体１の係止面１１と係止するストッパー２４が形成されている。
このストッパー２４は雌螺子２３の溝を埋めて成る突起により構成されており、その位置は、キャップ本体１と上蓋２をセッティングした状態、すなわちキャップ本体の頂板部３に上蓋２の側壁下端２５が当接した状態では、キャップ本体の係止面１１と接しない位置であるがその近傍の位置に形成されている。これにより、一旦開封された後、螺子部が濡れて上蓋が滑りやすく、キャップ本体及び上蓋のセッティング位置を超えて上蓋が旋回し得る場合であっても、セッティング位置を少し過ぎた時点でキャップ本体の係止面１１と上蓋のストッパー２４が係止するため、上蓋を締め過ぎになることが有効に防止される。
【００１６】
図１に示す具体例においては、上蓋２には、キャップ本体との係合に関与しない、ストッパー２４が形成された位置よりも上方の天面２１付近まで雌螺子２３が形成されているが、このように雌螺子をストッパーを超えて天面付近まで形成しておくことにより、上蓋形成材料の低減を図ることができると共に、側壁内面に雌螺子による凹凸が形成されることにより側壁の補強という効果を得ることが可能となる。
【００１７】
本発明のプラスチックキャップにおいて、上蓋のストッパーの位置は、キャップ本体及び上蓋のセッティング位置よりも開方向に少しずれた近傍位置にあることが望ましく、キャップの口径にもよるが、セッティング位置よりも特に５乃至３０°開方向にずれた位置にあることが望ましい。
【００１８】
キャップ本体の雄螺子に形成される係止面の形状は、ストッパーと確実に係合し得る切り立った面を有する限り制限されるものではなく、図２乃至４に示したように、係止面が雄螺子を半径方向で切断したような上蓋係合用筒面に対してほぼ垂直の面の他、係止面が上蓋係合用筒面に対して開方向に傾斜した形状であってもよい。この場合には、係止面と係合するストッパーの面が閉方向に同じ角度だけ傾斜した形状となるようなものであることがより好ましい。
またストッパーの形状も、キャップ本体の係止面と係合し得る限り、制限されるものではなく、図１に示したように上蓋側壁の内面よりも多少突出したものであってもよいし、単に雌螺子を埋めただけであっても勿論よい。
【００１９】
本発明のプラスチックキャップにおいては、ポリエチレン、ポリプロピレン等、従来より樹脂製キャップに用いられている公知の樹脂を用いて、射出成形、圧縮成形等の従来公知の製法によりキャップ本体及び上蓋をそれぞれ成形することができるが、好適には、上蓋をキャップ本体よりも硬いプラスチックで形成することが好ましい。
すなわち、キャップ本体は、開口予定部を区画するための弱化部が形成されているため、弱化部の破断を容易にする点、或いは容器口部に打栓によって嵌合固定されるため、打栓性や密封性などの点から、比較的柔らかい樹脂を用いることが好適である一方、上蓋はこのような制限がないため、加工しやすく、また薄肉化しても耐衝撃性に優れた比較的硬い樹脂を用いることが望ましいからである。従って、好適には、上蓋はポリプロピレン等を使用することが好ましく、これに対して、キャップ本体はポリエチレン等を用いることが好ましい。
【図面の簡単な説明】
【００２０】
【図１】本発明のプラスチックキャップの上蓋の一例を示すものであり、左半分が側面図、右半分が側断面図。
【図２】本発明のプラスチックキャップのキャップ本体の一例の側面図。
【図３】図２に示すキャップ本体のＸ方向からの側面図。
【図４】係止面とストッパーとの係合状態を示すための部分拡大断面図。
【符号の説明】
【００２１】
１  キャップ本体、２  上蓋、３  頂板部、４  スカート部、５  上蓋係合用筒、
６  雄螺子５、７  注出用ノズル、９  雄螺子終端、１０  雄螺子始端、
１１  係止面、  ２１  天面、２２  側壁、２３  雌螺子、２４  ストッパー２４、
２５  側壁下端。
【図１】
2006264748.tif 000003
【図２】
2006264748.tif 000004
【図３】
2006264748.tif 000005
【図４】
2006264748.tif 000006